(57)【要約】【課題】レベルスクリューの間隔がそれぞれ異なる複数の自動販売機に対して互換的に利用でき、容易に着脱できる転倒防止装置を提供することを目的とする。【解決手段】本体部（１）と、本体部（１）の長手方向の両端に各々設けられた脚部（２）と、本体部（１）の長手方向に沿って移動可能に取り付けられた一対のスライド部（３）とを有し、前記スライド部（３）にフック部（４）を設け、フック部（４）を本体部（１）に沿って移動不能に固定する固定手段（５）を備えた自動販売機の転倒防止装置。【選択図】図１
0003154319.tif 000002
【実用新案登録請求の範囲】
【請求項１】
本体部（１）と、本体部（１）の長手方向に沿って移動可能に取り付けられた一対のスライド部（３）とを有し、前記スライド部（３）にフック部（４）を設けたことを特徴とする自動販売機の転倒防止装置。
【請求項２】
前記スライド部（３）は、本体部（１）に外嵌されて移動可能に取り付けられたものであることを特徴とする請求項１に記載の自動販売機の転倒防止装置。
【請求項３】
前記スライド部（３）は、本体部（１）に外嵌されて移動可能に取り付けた筒状体であることを特徴とする請求項１又は２のいずれかに記載の自動販売機の転倒防止装置。
【請求項４】
前記本体部（１）に対するスライド部（３）の位置を固定する固定手段（５）を備えることを特徴とする請求項１〜３のいずれかに記載の自動販売機の転倒防止装置。
【請求項５】
前記固定手段（５）は、スライド部（３）に形成された孔（３１）に螺着して回転自在である軸部（５１）と、軸部（５１）の端部に設けられた摘み部（５２）とからなることを特徴とする請求項４に記載の自動販売機の転倒防止装置。
【請求項６】
前記本体部（１）の長手方向の両端に各々脚部（２）を設けたことを特徴とする請求項１〜５のいずれかに記載の自動販売機の転倒防止装置。
【請求項７】
前記本体部（１）は、脚部（２）に対して上下方向に位置調整可能であることを特徴とする請求項６に記載の自動販売機の転倒防止装置。
【請求項８】
前記本体部（１）は、軸体（７）を挿入して立設できる孔（１２）を有することを特徴とする請求項１〜７のいずれかに記載の自動販売機の転倒防止装置。
【請求項９】
前記スライド部（３）の上面に凸部（８）を形成した請求項１〜８のいずれかに記載の自動販売機の転倒防止装置。
【考案の詳細な説明】
【技術分野】
【０００１】
本考案は、自動販売機の転倒を防止する転倒防止装置に関する。
【背景技術】
【０００２】
自動販売機には、地震等の災害発生時に生じる転倒事故を未然に防止するための手段が講じられる。具体的には、自動販売機の底部に設けられたレベルスクリューを、地中に埋設したアンカーボルトに固定する方法や、屋内に設置する場合には、転倒防止用の板材を各レベルスクリューの下側に敷設して当該板にレベルスクリューを固定する方法などがある。
【先行技術文献】
【非特許文献】
【０００３】
【非特許文献１】ＪＩＳＢ８５６２「自動販売機の据付基準」
【考案の概要】
【考案が解決しようとする課題】
【０００４】
ところで、自動販売機の整備は、必要に応じて、自動販売機の設置場所ではなく、整備工場に搬送して行われる場合がある。整備工場には、特定の自動販売機だけではなく、様々な自動販売機が搬送される。自動販売機は、その種類に応じて、自動販売機の底部に設けられる各レベルスクリュー相互の間隔は異なっており、通常、大型の自動販売機におけるレベルスクリュー相互の間隔は大きく、薄型の自動販売機におけるレベルスクリュー相互の間隔は小さい。
【０００５】
本考案は、レベルスクリューの間隔がそれぞれ異なる複数の自動販売機に対して互換的に利用できる転倒防止装置を提供することを目的とする。
【課題を解決するための手段】
【０００６】
そこで、請求項１に係る考案は、本体部（１）と、本体部（１）の長手方向に沿って移動可能に取り付けられた一対のスライド部（３）とを有し、前記スライド部（３）はフック部（４）を有することを特徴とする自動販売機の転倒防止装置である。
【０００７】
また、請求項２に係る考案は、前記スライド部（３）は、本体部（１）に外嵌されて移動可能に取り付けられていることを特徴とする請求項１に記載された自動販売機の転倒防止装置である。
【０００８】
また、請求項３に係る考案は、前記スライド部（３）は、本体部（１）に外嵌されて移動可能に取り付けた筒状体であることを特徴とする請求項１又は２に記載された自動販売機の転倒防止装置である。
【０００９】
このように、本考案のスライド部（３）に設けた一対のフック部（４）は、本体部（１）の長手方向に沿ってそれぞれ移動可能であるため、両スライド部（３）の間隔を調整することにより、自動販売機（Ｖ）のレベルスクリュー（Ｓ）にフック部（４）をそれぞれ係止することができる。すなわち、自動販売機（Ｖ）における一方のレベルスクリュー（Ｓ）に一方のスライド部（３）のフック部（４）を係止し、前記一方のレベルスクリュー（Ｓ）に対して所定間隔を介して設けられた他方のレベルスクリュー（Ｓ）に他方のスライド部（３）のフック部（４）を係止することができる。フック部（４）の位置を調整可能とすることにより、特定の自動販売機だけでなく、レベルスクリューの間隔が異なる複数の自動販売機に対して利用可能な転倒防止装置が提供できる。
【００１０】
なお、フック部（４）は、後述する実施形態のように、スライド部（３）の側面に設けるのが好適であるが、これに限らず、スライド部（３）の上面に設けることもできる。
【００１１】
また、請求項４に係る考案は、本体部（１）に対してスライド部（３）の位置を固定する固定手段（５）を備えることを特徴とする請求項１〜３のいずれかに記載された自動販売機の転倒防止装置である。
【００１２】
また、請求項５に係る考案は、前記固定手段（５）は、スライド部（３）に形成されたネジ孔（３１）に螺着して回転自在であるネジ軸部（５１）と、ネジ軸部（５１）の端部に設けられた摘み部（５２）とからなることを特徴とする請求項４に記載された自動販売機の転倒防止装置である。
【００１３】
固定手段（５）は、スライド部（３）は本体部（１）に沿って移動可能状態から移動不能状態に固定するものである。このような固定手段（５）を備える転倒防止装置であれば、より安定的に自動販売機の転倒を防止することができる。すなわち、自動販売機（Ｖ）における一方のレベルスクリュー（Ｓ）に一方のスライド部（３）のフック部（４）を係止した状態とし、固定手段（５）によってスライド部（３）を本体部（１）に対して移動不能に固定することができ、同様に、前記一方のレベルスクリュー（Ｓ）に対して所定間隔を介して設けられた他方のレベルスクリュー（Ｓ）に他方のスライド部（３）のフック部（４）を係止した状態とし、固定手段（５）によってスライド部（３）を本体部（１）に対して移動不能に固定することができるので、より安定的に自動販売機の転倒を防止することができる。
【００１４】
また、請求項６に係る考案は、本体部（１）の長手方向の両端に各々設けられた脚部（２）を備える請求項１〜５のいずれかに記載の転倒防止装置である。そして、本体部（１）を、上下方向位置を調整可能な本体部（１）とすることができ、例えば、請求項７に係る考案は、脚部（２）に対して本体部（１）の位置を上下方向に位置調整可能な請求項６に記載の転倒防止装置である。より具体的には、前記脚部（２）は、支持プレート部（２１）と、前記支持プレート部（２１）に立設された軸部（２３）とを有し、前記軸部（２３）は本体部（１）の長手方向の両端に形成された孔（１１）に螺着して回転自在であることを特徴とする自動販売機の転倒防止装置を提示できる。
【００１５】
このような転倒防止装置であれば、本体部（１）の高さを調整することにより、各種の自動販売機の底部を支持することができるので、より安定的に自動販売機の転倒を防止できる。
【００１６】
また、本体部（１）の高さ調整を容易に行えるように、前記軸部（２３）の軸径方向に突出する凸部（６）を有することを特徴とする請求項７に記載された自動販売機の転倒防止装置を提案することができる。凸部（６）は、軸部（２３）に形成された孔に挿入された軸体（６）とするのが好ましい。
【００１７】
また、整備工場でのメンテナンス中に開放した自動販売機の扉が不用意に閉まるのを防止するためには、扉（Ｄ）に当接して扉（Ｄ）の閉方向移動を妨げる当接手段（７）を備えるものとするのが好ましい。具体的には、例えば、請求項８に係る考案として、前記本体部（１）は、軸体（７）を挿入して立設できる孔（１２）を有することを特徴とする請求項１〜７のいずれかに記載の自動販売機の転倒防止装置を提示することができる。軸体（７）は、自動販売機の扉に当接して開扉状態から閉扉状態に至るのを阻止する扉止めとして機能する。
【００１８】
また、整備工場でのメンテナンスにおいて、自動販売機の側面を研磨する場合に、側面下側の作業を容易にする為には、請求項９に係る考案として、スライド部（３）の上面に凸部（８）を形成した請求項１〜８のいずれかに記載の自動販売機の転倒防止装置とするのが好ましい。これによれば、自動販売機の底部を凸部（８）で支持する状態となり、本体部（１）等と自動販売機の底部との間に相対的に広い隙間を確保でき、研磨作業等が容易になる。
【考案の効果】
【００１９】
本考案の基本的な効果は、レベルスクリューの間隔がそれぞれ異なる複数の自動販売機に対して互換的に利用できる。
【図面の簡単な説明】
【００２０】
【図１】本考案の実施形態を示す斜視図
【図２】図１の分解斜視図
【図３】使用状態を説明する平面図（１）
【図４】使用状態を説明する平面図（２）
【図５】使用状態を説明する平面図（３）
【図６】使用状態を説明する側面図（１）
【図７】使用状態を説明する側面図（２）
【図８】扉を開けた使用状態を説明する平面図
【図９】扉を開けた使用状態を説明する側面図
【図１０】使用状態を説明する正面図
【図１１】他の使用状態を説明する平面図
【図１２】他の使用状態を説明する正面図
【考案を実施するための形態】
【００２１】
上述のとおり、自動販売機の整備は、必要に応じて、自動販売機の設置場所ではなく整備工場に搬送して行われる場合がある。整備完了後は所定の設置場所に搬送され、ＪＩＳ規格に基づく基準を満たす方法により据付固定されるわけであるが、整備工場では、一時的な転倒防止を目的とすることから、転倒防止装置の扱い易さが重要である。つまり、自動販売機に対して簡単に着脱できる転倒防止装置であるか否かが重要である。以下に示す実施態様は、転倒防止性能はもちろん、整備工場等で求められる着脱容易性、更には、作業効率性等にも配慮した転倒防止装置である。
【００２２】
図１、２に示すとおり、本実施形態に示す転倒防止装置は、長尺状の本体部１と、本体部１の長手方向の両端に各々設けられた脚部２、２と、本体部１の長手方向に沿って移動可能に取り付けられたスライド部３とからなる。実施形態に示すように、転倒防止装置は左右一組で用いるのが好適である。
【００２３】
各本体部１は、断面四角形状の角パイプで構成される。各本体部１は、長手方向の両端部に各々孔１１を有する。具体的には、長手方向の各端縁から中央方向に所定距離を介した位置において、上面１ａ及び下面１ｂを各々貫通して連通する孔１１を形成しており、孔１１の内周面にはネジ加工が施されている。
【００２４】
なお、各本体部１の全長は、特に転倒の恐れのある薄型自動販売機の奥行が２８０〜５３０ｍｍであることに対応して、約８００ｍｍに設定される。
【００２５】
各脚部２は、各本体部１の長手方向の両端部に各々設けられる。具体的には、脚部２は、円形平板状の支持プレート部２１と、断面六角形状の角柱部２２と、円柱体の外周面にネジ加工を施した軸部２３とからなり、軸部２３は本体部１の孔１１に挿入されて螺着している。軸部２３の上端付近には、径方向に貫通した貫通孔２４が形成され、軸体６が挿入されている。軸体６を摘んで脚部２を回転させることにより、軸部２３と本体部１と相対的な位置関係が変化し、本体部１の高さを調整することができる。
【００２６】
各スライド部３は、断面角形の筒状体で構成され、各本体部１に外嵌されて摺動可能に取り付けられる。本体部１に対して２つのスライド部３が独立して摺動可能に取り付けられる。スライド部３の左右方向の側面部３ｃ、３ｄには、内周面にネジ加工を施した孔３１が形成される。具体的には、側面部３ｃ、３ｄにそれぞれ貫通孔を穿孔し、内周面にネジ加工が施された六角ナットの孔を前記貫通孔に合致させ、スライド部３に前記ナットを溶着して構成する。
【００２７】
各スライド部３の孔３１の一方には、固定手段５が回転自在に螺着している。固定手段５は、外周面にネジ加工を施した軸部５１と、軸部５１の端部に設けられた摘み部５２とからなる。摘み部５２を摘んで固定手段５を回転させ締付け、軸部５１の先端面を本体部１の側面部１ｃに圧接させることにより、スライダ部３は任意の位置で本体部１にスライド不能に固定される。スライド部３の側面部３ｃ、３ｄに固定手段５を設けているため、固定操作が容易である。
【００２８】
各スライド部３の側面部３ｄには、フック部４が設けられている。フック部４は、断面Ｕ状に曲折された板状の鉤体であり、自動販売機のレベルスクリューＳの左右方向面及び前後方向の一方面に対向するように位置調整される。具体的には、スライド部３の側面部３ｄに対接して固着された基部４ａと、基部４ａに所定間隔を介して対向する先端部４ｃと、基部４ａと先端部４ｃの中間にあって両者を連結する湾曲部４ｂとからなり、フック部４は、基部４ａと先端部４ｃの間に自動販売機ＶのレベルスクリューＳを挿入されて係止される。なお、フック部４は、断面Ｕ状に曲折された板状の鉤体に限らず、断面コ状に曲折された板状の鉤体であっても良い。
【００２９】
また、各スライド部３の上面３ａには、断面コ字状に折曲げられた板体からなる凸部である支持部８が形成されている。具体的には、支持部８は、上面部の両側に立設された側面部とからなる板体であり、上面部は、スライド部３の上面３ａと上方向に所定間隔を介して対向している。
【００３０】
また、本体部１の貫通孔１１から中央方向に所定距離を介した位置には、上面部１ａ及び下面部１ｂを各々貫通して連通する孔１２を形成しており、孔１２には、自動販売機Ｖの扉Ｄに当接して閉鎖方向への移動を妨げる軸体７を挿入して立設することができる。
【００３１】
（使用方法）
図１に示すとおり、転倒防止装置は、通常、２個一組として使用する。一対の転倒防止装置を自動販売機Ｖの左右両側に各々位置せしめる。次に、図３に示すとおり、各転倒防止装置を、自動販売機Ｖの外側方向から内側方向に移動させ、自動販売機Ｖの下側に潜り込ませる。その際、転倒防止装置のフック部４の左右方向位置がレベルスクリューＳの左右方向位置にそれぞれ合致する位置まで移動させる。そして、図３に示すとおり、スライド部３をレベルスクリューＳに近接する方向に各々スライド移動し、フック部４の円弧部４ｂをレベルスクリューＳに当接させる。次に、固定手段５を締め付けて、スライド部３を本体部１に対して固定する。次に、自動販売機Ｖの底面をスライド部３の上面に設けた支持部８に支持させる。すなわち、図３、４に示す状態から、軸体６を摘んで脚部２を回転させることにより、図７に示す状態のように、自動販売機Ｖの底部に対してスライド部３の上面に設けた支持部８が当接する状態まで、本体部１等の高さを調整する。
【００３２】
このように使用される転倒防止装置であれば、極めて簡単な作業で自動販売機に装着することができ、自動販売機の転倒を防止することができる。
【００３３】
また、自動販売機Ｖの底部を支持部８の上面で支持する状態とすれば、本体部１の上面と自動販売機Ｖの底部との間に相対的に広い隙間を確保できることから、研磨作業等が容易になる。すなわち、自動販売機Ｖの側面下部付近の塗料を研磨機で落とす際の作業が容易になる。
【００３４】
また、自動販売機Ｖの内部を整備する際に扉Ｄを開いた状態に保持するためには、図６、７に示すように、本体部１の貫通孔１２に軸体７を挿入して立設することにより、閉鎖する方向に移動する扉の軌道上に軸体７を位置せしめ、扉Ｄを開いた状態に保持することができ、作業が容易になる。
【００３５】
なお、自動販売機Ｖの整備終了後は、固定手段５を解除し、スライド部３を本体部１に沿ってスライド移動させるだけ、自動販売機Ｖから転倒防止装置を離脱することができる。
【００３６】
また、上記では、図３に示すように、一対の転倒防止装置を自動販売機Ｖの左右両側に各々位置せしめ、各転倒防止装置を、自動販売機Ｖの外側方向から内側方向に移動させ、自動販売機Ｖの下側に潜り込ませて使用したが、図１１、図１２に示すようにすることもできる。すなわち、自動販売機Ｖの下側において左右方向に対向するレベルスクリューＳの間に一対の転倒防止装置を潜り込ませ、自動販売機Ｖの内側方向から外側方向に転倒防止装置を移動し、転倒防止装置のフック部４の左右方向位置がレベルスクリューＳの左右方向位置にそれぞれ合致させる。そして、スライド部３をレベルスクリューＳに近接する方向に各々スライド移動し、フック部４の円弧部４ｂをレベルスクリューＳに当接させる。次に、固定手段５を締め付けて、スライド部３を本体部１に対して固定する。次に、自動販売機Ｖの底面をスライド部３の上面に設けた支持部８に支持させる。このような使用によれば、自動販売機Ｖの側面下部付近の塗料を研磨機で落とす際の作業がより容易になる。
【符号の説明】
【００３７】
１  本体部
２  脚部
３  スライド部
４  フック部
【図１】
0003154319.tif 000003
【図２】
0003154319.tif 000004
【図３】
0003154319.tif 000005
【図４】
0003154319.tif 000006
【図５】
0003154319.tif 000007
【図６】
0003154319.tif 000008
【図７】
0003154319.tif 000009
【図８】
0003154319.tif 000010
【図９】
0003154319.tif 000011
【図１０】
0003154319.tif 000012
【図１１】
0003154319.tif 000013
【図１２】
0003154319.tif 000014